(57)【要約】【課題】  導入が容易でランニングコストが安価なであり、広範に普及可能な培地冷却装置を提供する。【解決手段】  培地冷却装置１は、空気及び水を通す不織布３１によって形成された高設栽培用ベンチ３０と、このベンチの下方に配設されて、空気は通すが高設栽培用ベンチ３０内に収容された培地Ｂに含まれる水は透過しない性質を有した多孔質フィルムによって形成された受皿２０とを有して構成される。高設栽培用ベンチ３０内の培地Ｂは、培地Ｂに注がれる水の蒸発によって冷却されるとともに、注がれた水のうち不織布３１を通過して受皿２０に貯留する余剰水の蒸発によって冷却される。培地冷却装置１は、不織布３１及び受皿２０に風を吹き付ける通風ダクトを備える。【選択図】  図２
2006271314.tif 000002
【特許請求の範囲】
【請求項１】
高設栽培用ベンチを用いて植物を栽培する培地を冷却する培地冷却装置であって、
気体及び液体を通す不織布によって前記高設栽培用ベンチを形成し、該高設栽培用ベンチの下方位置に前記気体は通すが前記高設栽培用ベンチ内に収容された培地に含まれる液体は透過しない性質を有した材料によって形成された受皿を配置することを特徴とする培地冷却装置。
【請求項２】
前記高設栽培用ベンチ内の培地は、該培地に注がれる水の蒸発によって冷却されるとともに、注がれた水のうち前記不織布を通過して前記受皿に貯留する余剰水の蒸発によって冷却されることを特徴とする請求項１に記載の培地冷却装置。
【請求項３】
前記不織布及び前記受皿に風を吹き付ける通風ダクトを設けることを特徴とする請求項１又は２に記載の培地冷却装置。
【発明の詳細な説明】
【技術分野】
【０００１】
本発明は、高設栽培に用いられる培地を冷却する培地冷却装置に関する。
【背景技術】
【０００２】
近年、イチゴの栽培は、作業性の向上を目的として高設ベンチを利用した栽培が進んでいる。しかしながら、このイチゴ栽培を高温の時期に行うと、収穫量が減少するとともに、果実の品質が低下するという問題が発生する。そこで、培地の温度を低下させて収穫量の増加を可能にする冷却技術の開発が行われている（特許文献１及び２参照）。
【０００３】
特許文献１に記載の冷却技術は、イチゴの高設栽培ベッドに鉄パイプを埋設し、この鉄パイプ内に冷水（例えば、かんがい用水）を通水することにより、培地温度を低下させて果実の収穫量を増加させるものである。
【０００４】
特許文献２に記載の冷却技術は、イチゴの培地をシルバーフィルムで包み、このフィルムの外側に不織布を密着させ、栽培ベンチの側面に雨樋を設置し、この雨樋から水を供給することにより、不織布から水が蒸発する際に奪われる潜熱によって培地を冷却するものである。
【０００５】
【特許文献１】平成１３年度東北農業研究成果情報Ｐ.２１１−２１２
【特許文献２】２０００年農気・生環合同大会発表要旨Ｐ.３７２−３７３
【発明の開示】
【発明が解決しようとする課題】
【０００６】
特許文献１に記載の冷却技術は、鉄パイプ内を流す冷水としてかんがい用水を利用するものであるので、利用可能な場所が限られてしまう。
【０００７】
また特許文献２に記載の冷却技術は、既存の設備に新たな設備を追加する必要があり、初期投資が高いという問題がある。
【０００８】
このため、このような従来の冷却技術を広範に普及させるのは困難であり、導入が容易でコストが安価な培地冷却装置が要望されている。
【０００９】
本発明は、このような要望に答えるためのものであり、導入が容易でランニングコストが安価なであり、広範に普及可能な培地冷却装置を提供することを目的とする。
【課題を解決するための手段】
【００１０】
このような課題を解決するため、本発明は、高設栽培用ベンチを用いて植物を栽培する培地を冷却する培地冷却装置であって、気体及び液体を通す不織布によって高設栽培用ベンチを形成し、該高設栽培用ベンチの下方位置に気体は通すが高設栽培用ベンチ内に収容された培地に含まれる液体は透過しない性質を有した材料によって形成された受皿を配置することを特徴とする。
【００１１】
この発明によれば、高設栽培用ベンチを気体及び液体を通す不織布によって形成し、このベンチの下方に、気体は通すが高設栽培用ベンチ内に収容された培地に含まれる液体は透過しない性質を有した材料によって形成された受皿を配置することにより、構成を簡易化することができ、既存の高設栽培用ベンチを改良して製作しても導入時のコストを安価にすることができる。
【００１２】
また本発明は、高設栽培用ベンチ内の培地が、該培地に注がれる水の蒸発によって冷却されるとともに、注がれた水のうち不織布を通過して受皿に貯留する余剰水の蒸発によって冷却されることを特徴とする。
【００１３】
この発明によれば、高設栽培用ベンチ内の培地は、この培地に注がれる水の蒸発及び注がれた水のうち不織布を通過して受皿に貯留する余剰水の蒸発によって冷却されることにより、冷却用の水として灌水及び余剰水を用いるので、培地冷却装置の設置場所が限定されることはなく、ランニングコストを安価にすることができる。その結果、培地冷却装置を広範に普及させることができる。
【００１４】
また本発明は、不織布及び受皿に風を吹き付ける通風ダクトを設けることを特徴とする。
【００１５】
この発明によれば、不織布及び受皿に風を吹き付ける通風ダクトを設けることにより、培地の冷却効果をより向上させることができるとともに、植物の冷却が可能になる。その結果、高温期の植物の栽培を可能にすることができる。
【発明の効果】
【００１６】
本発明に係わる培地冷却装置によれば、高設栽培用ベンチを気体及び液体を通す不織布によって形成し、このベンチの下方に、気体は通すが高設栽培用ベンチ内に収容された培地に含まれる液体は透過しない性質を有した材料によって形成された受皿を配置し、高設栽培用ベンチ内の培地は、該培地に注がれる水の蒸発によって冷却されるとともに、注がれた水のうち不織布を通過して受皿に貯留する余剰水の蒸発によって冷却されることにより、導入が容易でランニングコストが安価であり広範に普及させることが可能な培地冷却装置を提供することができる。
【発明を実施するための最良の形態】
【００１７】
以下、本発明に係わる培地冷却装置の好ましい実施の形態を図１及び図２に基づいて説明する。培地冷却装置１は、図１（断面図）に示すように、載置台１０と、この上部に取り付けられる受皿２０，２０'と、受皿２０，２０'上に載置される高設栽培用ベンチ３０，３０'とを有して構成される。
【００１８】
載置台１０は、地面Ｅに立設されて横方向に所定間隔を有して配置された一対の脚部１１，１１'と、これらの脚部１１，１１'間を繋ぐ連結部材１３とを有してなる。脚部１１，１１'は円筒状であり、作業者が作業し易い所定の高さ（例えば、約７０ｃｍ）を有して延びる。連結部材１３は受け皿２０，２０'やこれに載置される高設栽培用ベンチ３０，３０'より下方位置に配設される。
【００１９】
高設栽培用ベンチ３０，３０'は、植物（例えば、イチゴ）を栽培する培地Ｂを収容するものであり、培地Ｂは通さないが、気体（例えば、空気）及び液体（例えば、水）を通す不織布３１，３１'によって形成されている。このため、不織布３１，３１'に培地Ｂを収容すると、培地Ｂは不織布３１，３１'によって保持される。またこの培地Ｂに水が供給されると、水の一部は不織布３，３１'を通過して下方に移動する。なお、高設栽培用ベンチ３０，３０'は、空気及び水を通すが、培土Ｂを通さないのであれば、不織布３１，３１'に限るものではない。
【００２０】
受皿２０，２０'は、脚部１１，１１'の上部に開口した開口部１１ａ，１１'ａを覆うようにハンモック状に取り付けられる。受皿２０，２０'は、気体（例えば、空気）は通すが高設栽培用ベンチ３０，３０'内に収容された培地Ｂに含まれる液体（例えば、水）は透過しない性質を有した多孔質フィルムによって形成されている。多孔質フィルムは、これを通して余剰水が蒸発して余剰水の潜熱を奪うことで、余剰水を冷却することができる。つまり、受皿２０，２０'は高設栽培用ベンチ３０，３０'を透過した余剰水を貯留し且つ冷却する機能を有する。なお、受皿２０，２０'は、気体を通し液体を通さない性質を有するのであれば、多孔質フィルムに限るものではない。
【００２１】
このように構成された培地冷却装置１は、培地Ｂに灌水し、この注がれた水のうち培地Ｂから及び不織布３１からの蒸発によって培地Ｂを冷却するとともに、注がれた水のうち不織布３１，３１'を通過して受皿２０，２０'に貯留する余剰水の蒸発によって培地Ｂを冷却する。つまり、冷却用の水として灌水及び余剰水が用いられる。このため、培地冷却装置１は、灌漑用水等のように特別の場所にしかないような水を利用するのではないので、設置場所が限定されることはなく、ランニングコストを安価にすることができる。
【００２２】
また培地冷却装置１は、前述したように多孔質フィルムからなる受皿２０，２０'とこれに載置される不織布３１，３１'からなる高設栽培用ベンチ３０，３０'とを有して構成されるので、構成が簡易である。このため、既存の高設栽培装置を改良して製作しても導入時のコストを安価にすることができる。つまり、培地冷却装置１は、導入が容易でランニングコストが安価であり、設置場所が限定されることがないので、この培地冷却装置１を広範に普及させることが可能である。
【００２３】
なお、図２（ａ）（断面図）に示すように、連結部材１３上に不織布３１，３１'及び受皿２０，２０'に風を吹き付け可能な通風ダクト４０を設けてもよい。通風ダクト４０の周面には複数の開口部４１が設けられ、これらの開口部４１は、これらから吐出する空気が不織布３１，３１'及び受皿２０，２０'に吹き付けられるように開口している。このため、培地Ｂに含まれる水のうち不織布３１，３１'を通した気化あるいは培地Ｂの上部からの気化、及び受皿２０，２０'に貯留する水のうち受皿２０，２０'を通した気化あるいは水面からの直接の気化が促進されて、培地Ｂの冷却効果をより向上させることができる。なお、通風ダクト４０は、図示しない送風機から送られる空気流を流して、開口部４１から空気を吐出させる。
【００２４】
また開口部４１から吐出する空気の一部は、図２（ｂ）（断面図）に示すように、果実（例えば、イチゴ）Ｓに直接に吹き付ける方向に吐出する。このため、植物Ｐ（葉や果実）の体温を低下させて、高温期の植物Ｐの栽培を可能にすることができる。
【００２５】
なお、前述した実施例では、培地Ｂが２列に配置されるように構成したが、培地冷却装置１は、培地Ｂが１列や３列以上に配置された場合にも同様に適用することができる。
【図面の簡単な説明】
【００２６】
【図１】本発明の一実施の形態に係わる培地冷却装置の断面図を示す。
【図２】通風ダクトを設けた培地冷却装置を示し、同図（ａ）は培地冷却装置の断面図であり、同図（ｂ）は培地冷却装置によるイチゴの栽培を表わす断面図である。
【符号の説明】
【００２７】
１  培地冷却装置
２０  受皿
３０  高設栽培用ベンチ
３１  不織布
４０  通風ダクト
Ｂ  培地
Ｐ  植物
【図１】
2006271314.tif 000003
【図２】
2006271314.tif 000004